(57)【要約】      （修正有）【課題】作業者の手により操作される押切りカッターに関し、押切りによる切断作業の高い安全性を確保する押切りカッターを提供する。【解決手段】操作杆１２の回動面に沿った案内路５６が案内板４８,５０間に形成され、案内路に対して交差方向に出没自在にストッパ２０が設けられる。ストッパは、ケーブル７５によって、ハンドル６４とレバー６６とからなる自転車ブレーキレバー様の安全グリップ２２に連結される。安全グリップを握らない状態では、ストッパは案内路を閉塞し、押切りのための操作杆の回動を阻止する。安全グリップの握りによりストッパが後退され、操作杆の操作が許容され、押切り刃１６による切断対象物の切断が可能となる。【選択図】図１
2019069484.tif 000002
【特許請求の範囲】
【請求項１】
押切りカッターであって、
ベースと、
ベースに対して一端が回動自在な操作杆と、
操作杆の他端に操作者の片方側の手による押切り操作のための第１のグリップと、
操作杆の中間部に設けられた押切刃と、
操作杆の回動に際して第１のグリップに近接した部位にて操作杆を案内するべく操作杆の回動面に沿って延びる案内路を形成した案内装置と、
案内路に交差するように案内装置に対して移動可能に設けられたストッパと、
操作者の他方側の手による握り操作による操作杆のストッパに対する係脱のため設けられる第２のグリップと、
第２のグリップをストッパに連結し、ストッパをして、案内路に突出させ、押切り刃の回動による押切り操作を阻止する第１位置と、ストッパをして案内路から後退させ、押切り操作のための操作杆の回動を可能とする第２位置との間で移動させる連結具と、
ストッパをして常態においては第１位置を取らしめるべく連結具を付勢する弾性部材とを具備してなり、第２のグリップの握り操作により連結部を弾性部材の弾性に抗して、ストッパをして第２位置を取らしめ、操作杆による押切り操作を可能とする押切りカッター。
【請求項２】
請求項１に記載の発明において、連結具は、一端が第２のグリップに連結され、他端がストッパ側に連結された可撓性ケーブルより構成される押切りカッター。
【請求項３】
請求項２に記載の発明において、第２のグリップは、棒状のハンドルとハンドルに対して回動支点の周りを回動可能な握りレバーとから成る自転車ブレーキレバー様をなし、握りレバーは回動支点付近において可撓性ケーブルの前記一端に連結される押切りカッター。
【請求項４】
請求項３に記載の発明において、可撓性ケーブルは略その全長において適度な剛性を呈するチューブ状被覆材により被覆され、チューブ状被覆材の一端をベース側に固定する第１の固定具と、チューブ状被覆材の一端の他端を握りレバー側に固定する第２の固定具とを具備し、可撓性ケーブルはチューブ状被覆材に対してフリーな移動が可能とされている押切りカッター。
【請求項５】
請求項１から４のいずれか一項に記載の発明において、ストッパは案内装置の外側において拡径部を備えたロッドよりなり、かつ弾性部材はロッドの外周に沿って装着されたコイルスプリングより構成され、コイルスプリングは、ベースに固定されたストッパ板とロッドの拡径部との間に配置され、かつストッパ板を介してのロッドからの延出部が連結具に固定される押切りカッター。
【請求項６】
請求項１から５のいずれか一項に記載の発明において、押切りのため操作杆を回動させた状態における、ストッパの第２位置にあっては、ストッパは操作杆をベースから離間方向に回動させる操作を阻止するようにされている押切りカッター。
【請求項７】
請求項１から６のいずれか一項に記載の発明において、押切刃を側面において被覆するする押切刃の歯先側が開口した断面がチャンネル状の樹脂製安全カバーが操作杆に回動自在に取り付けられている押切りカッター。
【発明の詳細な説明】
【技術分野】
【０００１】
この発明は押切りカッターの安全装置に関するものである。
【背景技術】
【０００２】
押切りカッターとして、一端が回動自在であり、他端に操作者のための握り部を備えた押切り刃を備えた押切りカッターがあるが、このタイプの押切りカッターでは、被切断物は、押切り刃に対向した台座上に載置され、把持部を片手で握りつつ、押切り刃を下向きに回動させることにより押切り刃による被切断物の切断を行う。
【０００３】
押切り刃の回動により切断を行うこのタイプの押切りカッターは、その単純な構造故に、安価であり、農作業用とか事務用とか広範囲な分野で広く使用されているが、切断面の露出領域が広いため、作業中の不注意による事故は多かった。しかしながら、農作業用とか事務用とかの用途上に低コストであることが必須であるため、完璧な安全装置を具備させるまでの市場での要望はなく、例えば、握り部の部分にガードを設けるといったごく軽微な安全装置を設ける（特許文献１）といったものが精々であった。
【先行技術文献】
【特許文献】
【０００４】
【特許文献１】実開平６−６６９９５号公報
【発明の概要】
【発明が解決しようとする課題】
【０００５】
特許文献1のような押切りカッターは家庭等での軽微な用途向けであり、生産工場での負荷の大きなルーチン作業には向いておらず、また、安全性上の配慮も不十分である。例えば、ＰC（パーソナルコンピュータ）用には多数のプラスチック成形品であるコネクタ類が使用されるが、この種のコネクタは、多岐な接続経路を有しているために断面構造的にも極度に複雑化されているのが通常である。従って、成形工場では、成形が正しく行なわれているかのチェックのため、抜き取り検査によってコネクタを切断し、その切断面の目視判断を行なうことがルーチン作業に組み込まれている。ルーチン作業のためには、従来の軽微な押切りカッターでは機能的に不十分であり、また、安全性の観点でも問題がある。即ち、通常の右手で切断操作する場合に左手がフリーのままであるため、指の怪我とかの危険性が内在していた。
【０００６】
本発明はかかる問題点に鑑みなされたものであり、押切りによる切断作業を確実にかつ長期的に安定的に継続して行なうことができしかも高い安全性を確保することを目的とする。
【課題を解決するための手段】
【０００７】
この発明の押切りカッターは、
ベースと、
ベースに対して一端が回動自在な操作杆と、
操作杆の他端に操作者の片方側の手による押切り操作のための第１のグリップと、
操作杆の中間部に設けられた押切刃と、
操作杆の回動に際して第１のグリップに近接した部位にて操作杆を案内するべく操作杆の回動面に沿って延びる案内路を形成した案内装置と、
案内路に交差するように案内装置に対して移動可能に設けられたストッパと、
操作者の他方側の手による握り操作による操作杆のストッパに対する係脱のため設けられる第２のグリップと、
第２のグリップをストッパに連結し、ストッパをして、案内路に突出させ、押切り刃の回動による押切り操作を阻止する第１位置と、ストッパをして案内路から後退させ、押切り操作のための操作杆の回動を可能とする第２位置との間で移動させる連結具と、
ストッパをして常態においては第１位置を取らしめるべく連結具を付勢する弾性部材とを具備してなる。第２のグリップの握り操作は、連結部を弾性部材の弾性に抗して、ストッパをして第２位置を取らしめ、操作杆による押切り操作を可能とするようにされる。
【０００８】
連結具は、一端が第２のグリップに連結され、他端がストッパ側に連結された連結ケーブルより構成することができる。第２のグリップは、棒状のハンドルとハンドルに対して回動支点の周りを回動可能な握りレバーとから成る自転車ブレーキレバー用のものを流用可能である。この場合、握りレバーは回動支点付近において連結ケーブルの前記一端に連結される。連結ケーブルは略その全長において筒状チューブに被覆されるが、連結ケーブルは筒状カバーに対してフリーな移動が可能とされている。連結ケーブルは牽引に対しては非伸張であり、第２のグリップの動きをストッパに的確に伝達することができる。また、連結ケーブル及び筒状チューブは或る程度の可撓性は有しており、第２のグリップ及びストッパの位置関係に殆ど係らずに両者の連結が可能である。そして、ストッパは案内装置の外側において拡径部を備えたロッドよりなり、かつ弾性部材はロッドの外周に沿って装着されたコイルスプリングより構成され、コイルスプリングは、その弾性力によりストッパを第１位置に向けて付勢するべく、ベースに固定されたストッパ板とロッドの拡径部との間に配置される。そして、ストッパ板を介してのロッドからの延出部が連結具に固定され、第２のグリップの操作をストッパに伝達することができるよようになっている。また、押切刃を側面において被覆するする押切刃の歯先側が開口した断面Ｕ状の樹脂製安全カバーを操作杆に回動自在に取り付けることができる。
【発明の効果】
【０００９】
本発明においては、押切り操作時に操作者は片手（通常は右手）にて操作杆の第１のグリップを握るが、これだけではストッパが働くため押切り操作をなし得ず、反対側の手にて第２のグリップを握ることで始めて操作杆による押切り操作が可能となる。即ち、本発明の構成によれば、押切り操作時に操作者の両手が塞がっているため、押切り操作中の不注意等による作業者の障害の危険を未然に防止し、高い安全性を確保することができ、ルーチンとして押切り操作が必要となる作業場用途に高い適合性を有している。
【００１０】
また、安全用の第２のグリップとしての自転車ブレーキレバー様の構成は殆どのパーツを大量に市販されている自転車用ブレーキ部品から調達が可能であり、コスト削減の観点での大いなる有利性となる。
【図面の簡単な説明】
【００１１】
【図１】図１はこの発明の押切りカッターの全体構成を示す斜視図である。
【図２】図２は図1の押切りカッターのストッパの構成を示し、図１のII−II線に沿った矢視断面図である。
【図３】図３は図1の押切りカッターの安全グリップの側面図である。
【発明を実施するための形態】
【００１２】
図１はこの発明の実施形態における押切りカッターを示す。押切りカッターは、ベース１０と、操作杆１２と、操作者の片手（右手）のための把持部１４（本発明の第１のグリップ）と、押切刃１６と、操作杆１２のための案内装置１８と、操作杆１２のストッパ２０と、操作者の反対側の手（左手）による操作される安全グリップ２２（本発明の第２のグリップ）と、安全グリップ２２とストッパ２０とを連結し、安全グリップ２２の握り操作によりストッパ２０を出没駆動させる連結装置２４と、ストッパ２０をして常態においては操作杆１２に当接させるべくストッパ２０を付勢する弾性部材としてのコイルばね２６とを基本的な構成要素とする。
【００１３】
ベース１０は10ｍｍ程度の厚みの鋼板を切り出して成る。操作杆１２は２ｍｍ程度の厚みの焼き入れ可能鋼板よりなる。断面Ｌ型の一対の支持部材２８は一定の隙間を持たせつつ背中合わせにしてベース１０上にボルト３０にて固定され、この隙間に操作杆１２の一端が挿入され、一対の支持部材２８間に挿通・固定されるピン３２にて操作杆１２の一端は支持部材２８に対して回動自在とされる。
【００１４】
把持部１４はプラスチック成形板をピン３２から離間した操作杆１２の自由端に挟むように設けられ、ボルト３４及びナット（図示しない）にて操作杆１２に固定される。把持部１４を操作の右手による押切り操作のため設けられるものである。
【００１５】
押切刃１６は操作杆１２の中間部を下方に刃先を向けた刃型に成形し、焼き入れすることにより形成される。押切刃１６に対向して、ベース１０上にプラスチック成形の端子等の切断対象物を載置するための押切り台３６が設けられ、押切り台３６の上面には押切り操作時の押切刃１６の受け溝36-1が形成される。押切り台３６はボルト３８により台座４０上に載置され、台座４０がボルト４２によりベース１０に固定される。プラスチック製（なるべくは透明なもの）な押切刃カバー４４は下向き開放した細長いチャンネル形状の横断面をなし、支持部材２８の近接側がピン４６により操作杆１２に回動自在に連結される。押切刃カバー４４は図示の操作杆１２を持ち上げた状態において安全のため押切刃１６を側面より被覆するため設けられる。押切刃１６による押切り操作時は最初はカバー４４は操作杆１２と一緒に回動するが、カバー４４の下縁が被切断物に当たるとそこに停止され、押切刃１６による押切り操作は継続することができる。
【００１６】
案内装置１８は、その間に隙間を持たせた直立案内板４８及び５０と台座５２とを備え、図２に示すように台座５２はベース１０に下面からボルト５４（１本のみ図示するが複数設置）に固定される。直立案内板４８はボルト５６（図１）により側面から台座５２に固定され、直立案内板５０はボルト５８（図２）により底面から台座５２に固定される。直立案内板４８及び５０との間の隙間は操作杆１２の板厚よりわずかに大きく、切断操作時に操作杆１２の回動経路となる直立した案内路５６を形成する。
【００１７】
金属製のロッド状ストッパ２０は水平に延びており、ストッパ２０は、図２に示すように、直立案内板５０の穿孔50-1を貫通し、図２に示す第１位置（安全位置）ではストッパ２０の先端は直立案内板４８のロック孔48-1に嵌合され、この第１位置では操作杆１２は図１の状態から下方に回動させたときストッパ２０に当接（当接状態を図２に示す）することで、それ以上の回動を阻止される。ストッパ２０は直立案内板５０の外側において２段の拡径部20-1を備えており、他方、図２に示すように直立案内板４８及び５０から離間側の台座５２の端面にストッパ板６０が固定される。コイルばね２６はストッパ２０の拡径部20-1とストッパ板６０との間に配置され、コイルばね２６のスプリング力はストッパ２０をして図２において左行するように、即ち、ストッパ２０が第１位置（安全位置）を取るように付勢している。そして、ストッパ２０の端部には全長に亘りねじ部を形成した接続ピン６２の一端側が螺合され、接続ピン６２はストッパ板６０を遊嵌され、ストッパ２０と離間側に突出する。接続ピン６２は後述のように連結装置２４を構成する鋼材製のより線ケーブル(75)に連結される。ストッパ２０は、後述のように安全グリップ２２の握り操作により後退し、先端がロック孔48-1から抜去され、直立案内板５０の穿孔部内に完全に後退された第２位置（押切り作動可能位置）を取ることができる。
【００１８】
安全グリップ２２は、水平な鋼材丸棒より成るハンドル６４と握りレバー６６とを備え、ハンドル６４は、ベース１０にボルト６５により直立固定される支持台６８に固定される。即ち、支持台６８は上端にハンドル６４が挿入されるスリット付の穿孔７０を備え、ボルト７２の締め付けによりハンドル６４を丁度良い位置に調節しつつ固定することができる。握りレバー６６は、この実施形態においては、自転車用のブレーキレバーをそのまま流用したものである。即ち、周知のように自転車用のブレーキレバーは、握りレバー６６をハンドル６４に固定するためのブラケット７３を備え、握りレバー６６はピン７４によってブラケット７３に対して回動自在とされる。ブレーキレバーとして市販の握りレバー６６は、周知のように、後述鋼線ケーブル（ブレーキケーブルとして市販）の装着のためのスロット付開口部66-1（図３も参照）を有する。尚、ブラケット７３はハンドル６４への挿入スロット部73-1を有し、ねじ６３の締結によりブラケット７３をハンドル６４の丁度良い位置に固定することができる。自転車用のブレーキレバーは、市場には、普及品から高級品まで多種多様のものが存在しており、その中から適当なものを選択することができる。
【００１９】
ストッパ２０の出没駆動のための連結装置２４についても、本実施形態においては、これも自転車用のブレーキ用部品を流用している。即ち、連結装置２４は、市販の自転車用ケーブル（拠り鋼線）を適当な長さに切断してなる連結ケーブル７５を備える。ケーブル７５は多少の可撓性（屈曲性）を具備するも引張りに対しては実質的に非伸張である。ケーブル７５は被覆用のアルミニューム等の金属とケブラー等の繊維との複合構造等の可撓性でかつ比較的高剛性のチューブ状アウタワイヤ７６（本発明のチューブ状被覆材）に挿通される。ケーブル７５は拡径筒部（通称太鼓）75-1を形成しており、握りレバー６６へのケーブル７５の装着は、スロット付溝66-1に太鼓74-1を挿入し、太鼓75-1を回すことにより、太鼓75-1から延びているケーブル７５の部位を握りレバー６６の下面の溝66-1に収めることができ、これにより、握りレバー６６に対するケーブル７５の装着状態が得られる。この状態においては、握りレバー６６を握ることによりケーブル７５の牽引が可能となる。また、アウタワイヤ７６の端部に具備されるキャップ７１はブラケット７３に周知のように螺合または嵌着により固定される。連結装置２４は、ケーブル７５の他端側おいて、アウタワイヤ止着台７７を備え、アウタワイヤ止着台７７の上面溝77-1にワイヤ７６の端部が載置され、上面より固定板７８が被せられ、ビス７９により固定板７８がアウタワイヤ止着台７７に締結される。固定板７８はアウタワイヤ７６をアウタワイヤ止着台７７に固定するが、安全グリップ２２の握りレバー６６を握ったときのアウタワイヤ７６内でのケーブル７５の自由な動きには影響しないようにされる。そして、アウタワイヤ７６から延出されるケーブル７５の端部はケーブル止着部材８０に止着板８２にて固定される。即ち、止着部材８０は鋼材ブロックにて成形され、上面にケーブル止着溝80-1が形成され、ケーブル止着溝80-1にアウタワイヤ７６から延出されたケーブル７５の端部が載置され、上方より止着板８２がねじ８３により止着されることにより、ケーブル７５の端部はケーブル止着部材８０に挟着固定される（図２参照）。そして、ストッパ２０の端部に螺合延出される接続ピン６２端部はケーブル止着部材８０のねじ孔80-1に螺合され、かつロックナット８４にてロックされる。かくして、安全グリップ２２の握りレバー６６の握り操作はケーブル７５の牽引を惹起し、このケーブル７５の牽引は、ケーブル止着部材８０及び接続ピン６２を介してストッパ２０に伝達され、ストッパ２０はコイルばね２６に抗して移動（図２の右方向）され、ストッパ２０が案内路から後退された第２位置を取り、操作杆１２をして押切刃１６による切断対象物の切断が可能となる。安全グリップ２２とストッパ２０の連結のためのケーブル７５及びアウタワイヤ７６の可撓性は、安全グリップ２２とストッパ２０のとの位置関係の或る程度の自由度を残しつつ両者の操作連結を確保することができる点で優れている。
【００２０】
この発明の実施形態における押切りカッターの動作について説明すると、安全グリップ２２の握りレバー６６を握らない状態では、コイルスプリング２６の弾性力によりストッパ２０はロック孔48-1に延出した第１位置を取るため、操作杆１２はストッパ２０との当接位置（図２にて示す）以上には把持部１４を押しても回動操作できない。また、この状態においては、押切刃１６はカバー４４により側面からではあるが被覆されているため、その分安全性を高めることに寄与することができる。
【００２１】
切断対象物である、例えばプラスチック成形端子は押切り台３６上に載置される。そして、操作者は右手で把持部１４を握りつつ左手で安全グリップ２２の握りレバー６６を握り、ストッパ２０をしてロック孔48-1より抜去させ案内路５６を開放した第２位置とする。すると、今までストッパ２０により閉塞されていた案内路５６が開放され、把持部１４を押し下げることができ、押切り台３６上の切断対象物であるプラスチック成形端子等の切断対象物の押切刃１６による裁断を行なうことができる。押切刃１６は歯先が受け溝36-1に収容される位置まで下降すると操作杆１２は台座５２に当たるためこれ以上の操作杆１２の回動は阻止され、このとき、押切刃１６の歯先は受け溝36-1の底面からは少し浮いた状態であるため、歯先の保護を図ることができる。押切刃１６による切断対象物の切断の際にカバー４４は切断対象物に当接し、完全な切断のための更なる操作杆１２の回動に対しては、カバー４４ピン４６の周りを押切り台３６に対して相対的に回動することで、その位置に留まることができる。切断完了状態において左手による安全グリップ２２の握りレバー６６の握りを開放すると、ストッパ２０はロック孔48-1に延出した第１位置に復帰するが、操作杆１２を右手の把持部１４により引き上げようとしても、このときは操作杆１２は図２の想像線12aのように位置しており、上方に位置するストッパ２０により動きを防止され、押切刃１６の歯先は受け溝36-1の収容されたままの安全な状態に保持される。次の押切り操作の継続ため操作杆１２を引き上げるためには、安全グリップ２２の握りレバー６６の握りによりストッパ２０を解除する必要がある。即ち、一端左手を安全グリップ２２の握りを離し、操作杆１２が下面においてストッパ２０により保持された状態としないと、切断対象物の押切り台３６上への設置といった次の切断操作を行えない。
【００２２】
本発明の実施形態の押切りカッターは押切り動作は右手で把持部１４を握りかつ左手では安全グリップ２２を握っていないと押切り動作を行えないし、押切りの準備のための操作杆１２の引き上げを行なうこともできない。即ち、押切りのためにも押切りの準備のためにも両手は塞がっているため、従来の押切りカッターでは欠落していた、遊んでいる左手のための有効な安全対策を構成することができる。
【符号の説明】
【００２３】
１０…ベース
１２…操作杆
１４…把持部
１６…押切刃
１８…操作杆案内装置
２０…ストッパ
２２…安全グリップ
２４…連結装置
２６…コイルばね
３２…押切り台
３６…押切り台
４４…押切刃カバー
48, 50…直立案内板
48-1…ロック孔
48-1…案内路
５６…案内路
６０…ストッパ板
６４…ハンドル
６６…握りレバー
７５…連結ケーブル
７６…アウタワイヤー
７７…アウタワイヤ止着台
８０…ケーブル止着部材
【図１】
2019069484.tif 000003
【図２】
2019069484.tif 000004
【図３】
2019069484.tif 000005